(57)【特許請求の範囲】
【請求項１】
蓋と本体とを備えた蓋付き容器に用いられるロック装置であって、
前記蓋側に設けられたフック軸と、
前記フック軸に保持され、所定方向への回動により、前記蓋を前記本体に対してロックするフックレバーと、
前記フックレバーを摩擦によって保持する、前記本体に設けられた保持部と、
前記フックレバーに、前記フック軸と平行に設けられたストッパー軸と、
前記蓋が開けられる際に押下される蓋開放釦と、
前記ストッパー軸に保持され、前記蓋開放釦によって押下されるストッパーと、
前記ストッパーを、前記所定方向に付勢するストッパーばねと、
前記フックレバーを、前記所定方向に付勢するフックばねとを備え、
前記ストッパーばねの付勢力は、前記フックばねの付勢力よりも強くなるように構成され、
前記容器内の圧力が所定圧力未満の状態で前記ストッパーが押下されると、前記ストッパーおよび前記フックレバーが、共に前記所定方向とは逆方向に回動して、前記保持部による前記フックレバーのロックが解除され、
前記容器内の圧力が前記所定圧力以上の状態で前記ストッパーが押下されると、前記ストッパーのみが前記所定方向とは逆方向に回動し、前記フックレバーは回動せずに、前記保持部による前記フックレバーのロックが解除しないように構成された、
ロック装置。
【請求項２】
前記容器内の圧力が前記所定圧力以上の状態で前記ストッパーが押下されたとき、前記ストッパーの先端部を保持する当接部を前記蓋側に備え、
前記蓋開放釦が押下された状態で、前記容器内の圧力が前記所定圧力よりも小さくなった場合にも、前記ストッパーの先端部が前記当接部に当接して前記ストッパーの回動が制限されることにより、前記フックレバーが回動しないように構成された、
請求項１に記載のロック装置。
【請求項３】
請求項１または請求項２に記載のロック装置を備えた、蓋付き容器。
【発明の詳細な説明】
【技術分野】
【０００１】
本発明は、主として圧力炊飯器等の蓋付き容器の蓋に設けられるロック装置、および、それを用いた蓋付き容器に関する。
【背景技術】
【０００２】
従来から、炊飯器等の、蓋を閉じた状態で使用すると、収容部の内圧が大気圧を超える高圧となる蓋付き容器が提案されている（例えば、特許文献１、特許文献２および特許文献３を参照）。
【０００３】
このような蓋付き容器においては、収容部の内圧が上昇しても、蓋を閉じた状態に保つ必要があるため、蓋をロックするロック装置が採用されている。そして、このロックを解除するために、使用者が操作する解除釦が設けられている。そして、安全性に鑑みて、容器の内部が所定の圧力以上となったときには、解除釦が押されたとしても、蓋が開かないようにする技術も提案されている。
【０００４】
図１０は、特許文献１に記載された、従来の蓋付き容器のロック装置の構造について示す図である。図１０（ａ）は、容器内部の圧力が所定値未満のときの状態を示す図であり、図１０（ｂ）は、容器内部の圧力が所定値以上のときの状態を示す図である。
【０００５】
図１０に示されるように、ロック装置１２２は、プランジャ１１７、解除釦ロック部材１１８、解除釦１２４、および、蓋体フックレバー１２３を備えている。
【０００６】
図１０（ａ）に示されるように、容器１０７内部の圧力が所定値未満のときには、プランジャの軸１１７ｂが紙面に向かって右に位置しており、この軸１１７ｂと連動した解除釦ロック部材１１８も右側に移動した状態である。このため、解除釦ロック部材１１８は、蓋体フックレバー１２３とは離間した位置に存在している。また、蓋体フックレバー１２３の先端に設けられた係止爪１２３ｂは、容器１０７の本体と接続された係止部１０４ｃによって係止されており、蓋１３０は、本体に対して固定された状態となっている。
【０００７】
図１０（ａ）に示されるように、容器１０７内の圧力が比較的低いとき、使用者が蓋１３０を開けようとして、解除釦１２４を押下すると、蓋体フックレバー１２３は、軸１２３ａを中心に、紙面に向かって時計回りに回動する。そうすると、係止爪１２３ｂと、係止部１０４ｃとのロックが外れる。そして、蓋１３０がばねの付勢力によって開く。
【０００８】
一方、図１０（ｂ）に示されるように、容器１０７内部の圧力が所定値以上のときには、プランジャ１１７の軸１１７ｂが紙面に向かって左向きに移動し、解除釦ロック部材１１８も左向きに移動する。また、内蓋１１１も、容器１０７内部の圧力の上昇に伴って、紙面に向かって上向きに移動する。そして、内蓋１１１に設けられたストッパー１１９が、スプリング１２０の付勢力に対抗して上向けに移動する。そして、ストッパー１１９が、解除釦ロック部材１１８の下側に設けられた窪部１１８ｄに入り込むことにより、解除釦ロック部材１１８をロックする。
【０００９】
このような、図１０（ｂ）に示されるような状態で、使用者が蓋を開けようとして、解除釦１２４を押下した場合を想定する。この場合、蓋体フックレバー１２３ａの端部に設けられた当接片１２３ｃが、解除釦ロック部材１１８の端部１１８ｅと接触してしまい、蓋体フックレバー１２３は回転することができない。
【００１０】
このような構成とすることにより、容器１０７内部の圧力が所定値以上のときには、使用者が解除釦１２４を押しても、蓋を開けることができない構成が実現されている。
【先行技術文献】
【特許文献】
【００１１】
【特許文献１】特開２００８−４８７６７号公報
【特許文献２】特許第５３８０６６９号公報
【特許文献３】特許第５５０９３６３号公報
【発明の概要】
【発明が解決しようとする課題】
【００１２】
しかしながら、上述した特許文献１に記載の技術においては、次のような課題がある。具体的には、容器内の圧力が所定値以上の状態で、解除釦が押下された場合を想定する。このとき、容器内の圧力が、解除釦の押下中に、何らかの理由で低下することがある。このような場合には、解除釦が押下されたときには容器内の圧力が高いので蓋は開かないが、解除釦が押された状態で、しばらくして容器内の圧力が低下すると、解除釦ロック部材によるロックが外れ、蓋が急に開いてしまうことになる。このような動作は、使用者に不安を与える可能性があり、望ましいものとはいえない。
【００１３】
本発明は、上記課題を鑑みてなされたものであり、容器の内圧が高い状態で解除釦が押された状態で保持され、その状態のままで容器の圧力が低下したような場合でも、蓋の開かないロック装置およびそれを用いた蓋付き容器を提供するものである。
【課題を解決するための手段】
【００１４】
本発明のロック装置は、蓋と本体とを備えた蓋付き容器に用いられるロック装置である。そして、蓋側に設けられたフック軸と、フック軸に保持され、所定方向への回動により、蓋を本体に対してロックするフックレバーと、フックレバーを摩擦によって保持する、本体に設けられた保持部と、フックレバーに、フック軸と平行に設けられたストッパー軸とを備えている。また、蓋が開けられる際に押下される蓋開放釦と、ストッパー軸に保持され、蓋開放釦によって押下されるストッパーと、ストッパーを、所定方向に付勢するストッパーばねと、フックレバーを、所定方向に付勢するフックばねとを備えている。そして、ストッパーばねの付勢力は、フックばねの付勢力よりも強くなるように構成されている。容器内の圧力が所定圧力未満の状態でストッパーが押下されると、ストッパーおよびフックレバーが、共に所定方向とは逆方向に回動して、保持部によるフックレバーのロックが解除される。一方、容器内の圧力が所定圧力以上の状態でストッパーが押下されると、ストッパーのみが所定方向とは逆方向に回動し、フックレバーは回動せずに、保持部によるフックレバーのロックが解除しないように構成されている。
【００１５】
また、本発明の蓋付き容器は、上述のロック装置を備えている。
【発明の効果】
【００１６】
このような構成により、容器の内圧が高い状態で解除釦が押された状態で保持され、その状態のままで容器の圧力が低下したような場合でも、蓋の開かないロック装置およびそれを用いた蓋付き容器を提供することができる。
【図面の簡単な説明】
【００１７】
【図１】本発明の実施の形態における蓋付き容器の一例である炊飯器の斜視図
【図２】本発明の実施の形態における炊飯器の蓋を開けた状態を示す斜視図
【図３】本発明の実施の形態における炊飯器の主たる構成を示す分解斜視図
【図４】本発明の実施の形態における炊飯器の蓋の上外郭部材を下外郭部材から取り外した状態を示す斜視図
【図５】本発明の実施の形態における蓋開放装置を上から見た斜視図
【図６】本発明の実施の形態における蓋開放装置を下から見た斜視図
【図７】（ａ）本発明の実施の形態における炊飯器５０の蓋３の平面図、（ｂ）本発明の実施の形態における炊飯器の蓋の断面図
【図８】（ａ）図７（ａ）における８ａ−８ａ線分における断面図、（ｂ）図７（ｂ）における領域Ｂを拡大して示した断面図
【図９】（ａ）本発明の実施の形態におけるロック装置である蓋開放装置８の、蓋３が閉まった状態の構成を示す図、（ｂ）本発明の実施の形態におけるロック装置である蓋開放装置８の、容器内圧力が所定圧力未満である通常状態において、蓋開放釦７が押された場合の構成を示す図、（ｃ）本発明の実施の形態におけるロック装置である蓋開放装置８の、容器内圧力が所定圧力以上である状態において、蓋開放釦７が押された場合の構成を示す図
【図１０】（ａ）特許文献１に記載された、従来の蓋付き容器のロック装置の容器内部の圧力が所定値未満のときの状態を示す図、（ｂ）特許文献１に記載された、従来の蓋付き容器のロック装置の容器内部の圧力が所定値以上のときの状態を示す図
【発明を実施するための形態】
【００１８】
以下、本発明の実施の形態について説明する。なお、本発明は、この実施の形態に記載された内容に限定されるものではない。
【００１９】
なお、本実施の形態においては、蓋付き容器の一例として、炊飯器を用いて説明する。なお、本発明の蓋付き容器は、炊飯器に限定されず、たとえば、圧力調理器、電気ポット、および加湿器等の、容器内部が高圧になる蓋付き容器に適用することが可能である。
【００２０】
［炊飯器の全体構成］
まず、本発明の実施の形態に係る圧力式炊飯器の全体構成について説明する。
【００２１】
図１は、本発明の実施の形態における炊飯器５０の斜視図である。図２は、同炊飯器５０の蓋３を開けた状態を示す斜視図である。図３は、同炊飯器５０の主たる構成を示す分解斜視図である。図４は、同炊飯器５０の蓋３の上外郭部材３ａを下外郭部材３ｂから取り外した状態を示す斜視図である。
【００２２】
本実施の形態に係る圧力式の炊飯器５０は、内部に鍋収納部１ａが形成された、略有底筒状の炊飯器本体１と、鍋収納部１ａに収納され、米と水とを含む被炊飯物が入れられる鍋２とを備えている。炊飯器本体１の上部には、炊飯器本体１の上部開口部を開閉可能な中空構造の蓋３が取り付けられている。蓋３の内側（鍋２の上部開口部を覆う側）には、鍋２の上面開口部を密閉可能な、略円盤状の内蓋４が着脱可能に取り付けられている。本実施の形態においては、蓋３と内蓋４とで、鍋２の上部開口部を開閉可能な蓋体が構成されている。
【００２３】
図４に示されるように、蓋３は、蓋３の外郭を構成する上外郭部材３ａと下外郭部材３ｂとを備えている。また、蓋３は、ヒンジ軸３Ａを備えている。ヒンジ軸３Ａは、蓋３の開閉軸であり、炊飯器本体１の上枠１ｂに、その両端部を回動自在に保持されている。ヒンジ軸３Ａの周囲には、ねじりコイルばね（図示せず）が取り付けられている。ねじりコイルばねは、ヒンジ軸３Ａを中心として、蓋３を、鍋２の上部開口部から離れる方向（開方向）に付勢している。
【００２４】
蓋３の内部には、ロック装置である蓋開放装置８が設けられている。蓋開放装置８は、炊飯器本体１の一部に係合することにより、蓋３が鍋２の上面開口部を塞いだ状態を保持
する。
【００２５】
蓋開放装置８は、蓋３が鍋２の上面開口部を塞いだ状態で、蓋３に設けられた蓋開放釦７が押圧されたとき、フックレバー１４が軸１４ｃを中心に矢印Ａ１方向に回転する。これにより、蓋開放装置８と炊飯器本体１の一部との係合が外れ、蓋３が、ねじりコイルばねの付勢力により、ヒンジ軸３Ａを中心として、鍋２の上部開口部から離れる方向に回動する。そして、蓋３が、鍋２の上面開口部を塞いでいない開状態になる。
【００２６】
なお、蓋３は、例えば、鍋２の上面開口部を塞いだ位置から、ヒンジ軸３Ａを中心として所定の角度、例えば９０度回転すると、回転を停止するように構成されている。
【００２７】
蓋３には、炊飯コース、および、炊飯時間等の各種情報を表示するとともに、白米コース、玄米コース、および、白米（柔らかめ）コース等の複数の炊飯コースの中から、特定の炊飯コースを選択可能な表示操作部３３が設けられている。表示操作部３３は、炊飯コースの選択の他にも、炊飯の開始、取り消し、および、予約等の実行を指示できるように、炊飯開始釦等の複数の釦を備えている。使用者は、表示操作部３３を操作することにより、表示内容を参照しつつ、特定の炊飯コースを選択し、炊飯開始を指示することができる。
【００２８】
［ロック装置の構成］
次に、本実施の形態におけるロック装置である、蓋開放装置８について、その構成を詳細に説明する。
【００２９】
図５は、本発明の実施の形態における蓋開放装置８を上から見た斜視図である。また、図６は、同蓋開放装置８を下から見た斜視図である。また、図７（ａ）は、本発明の実施の形態における炊飯器５０の蓋３の平面図であり、図７（ｂ）は、同蓋３の断面図である。また、図８は、図７（ａ）における断面図である。図８（ａ）は、図７（ａ）における８ａ−８ａ線分における断面図であり、図８（ｂ）は、図７（ｂ）における領域Ｂを拡大して示した断面図である。なお、図８（ａ）および図８（ｂ）は、それぞれ、上外郭部材３ａが取り付けられた状態が示されている。
【００３０】
図５から図８（ｂ）までの各図面に示されるように、蓋開放装置８は、支持部材１２、支持部材１２に取り付けられたフックレバー１４、および、フックレバー１４に取り付けられたストッパー１３を備えている。
【００３１】
支持部材１２は、図５、図７（ａ）および図７（ｂ）に示されるように、その主面１２ａが、下外郭部材３ｂの下面と略平行になるように配置されている。
【００３２】
フックレバー１４は、第１面１４ｄ、および、第１面１４ｄと略直交する第２面１４ｅを有している。側方から見たとき、第１面１４ｄと第２面１４ｅとは、略９０度に接続されており、フックレバー１４はＬ字状の形状に構成されている。図５に示されるように、フックレバー１４の第１面１４ｄと第２面１４ｅとが接続する部分には、軸１４ｃが設けられている。これにより、フックレバー１４は、軸１４ｃを中心として回動可能に構成されている。
【００３３】
また通常時（蓋開放釦７が押圧されない状態で）、フックレバー１４は、ばね２４（図８（ａ）参照）の付勢力によって、上側の第１面１４ｄと、支持部材１２の主面１２ａとが平行になるように（図８（ａ）におけるＡ２方向に）付勢されている。
【００３４】
第２面１４ｅの軸１４ｃ方向の両側には、一対の延設部１４ｆが設けられている。一対
の延設部１４ｆそれぞれの先端部分には、係止部１４ｂが設けられている。係止部１４ｂは、延設部１４ｆから略９０度曲げられて構成されている。係止部１４ｂが、炊飯器本体１の上枠１ｂの端部１ｃによって係止されることにより、蓋３がねじりコイルばねの付勢力によって開こうとする動作を停止させ、蓋３を閉状態とすることができる。
【００３５】
フックレバー１４の第１面１４ｄの中央部には、穴部１４ｇが設けられている。この穴部１４ｇは、蓋開放釦７が押されたときに、それによって移動する棒状部材である押圧部７ａ（図８（ｂ）参照）が、その穴の中を通り抜ける大きさ、位置に形成されている。
【００３６】
ストッパー１３は、このフックレバー１４の穴部１４ｇに配置されている。ストッパー１３は、穴部１４ｇ内に入る大きさで形成された板状部品である。ストッパー１３は、フックレバー１４に設けられた軸１３ａによって、フックレバー１４に対して回動可能に構成されている。ここで、軸１３ａと軸１４ｃとは、互いに平行になるように構成されている。また、ストッパー１３は、蓋開放釦７が押されることにより、押圧部７ａがフックレバー１４を押すことなく、ストッパー１３のみを押すように、その大きさ、および位置が決定されている。
【００３７】
すなわち、本実施の形態の蓋開放装置８において、もし、ストッパー１３がフックレバー１４に形成されていなかったとすると、たとえ蓋開放釦７が押されたとしても、蓋３は開かないように構成されている。
【００３８】
ストッパー１３は、通常時には、ばね２３（図８（ｂ）参照）によって、下から主面１３ｂがフックレバー１４の第１面１４ｄに接近する方向（方向Ａ２）に付勢されている。なお、ストッパー１３は、その主面１３ｂが、フックレバーの主面（第１面１４ｄ）と略平行になったところで回動が制限される制限部を有している。
【００３９】
ここで、ストッパー１３を付勢するばね２４と、フックレバー１４を付勢するばね２３とは、ストッパー１３を付勢するばね２３の付勢力が、フックレバー１４を付勢するばね２４の付勢力よりも大きくなるように調整されている。また、フックレバー１４を付勢するばね２４の付勢力は、通常時（鍋２内の圧力が所定圧力（任意に定めることのできる圧力であり、一例としては、ゲージ圧で５ｋＰａ（絶対圧１．０５気圧（１０５ｋＰａ））未満のとき）に、使用者が蓋開放釦７を押下する程度の力で、蓋３が開く程度に調整されている。
【００４０】
図８（ｂ）の状態、すなわち、炊飯器５０の鍋２に高圧がかかっていない状態で、蓋開放釦７が押されると、押圧部７ａによって、ストッパー１３が押されることとなる。これにより、ストッパー１３と一緒に、フックレバー１４の第１面１４ｄが下方向に押されて、フックレバー１４は、軸１４ｃを中心として図８（ｂ）のＡ１で示した方向に回動する。これにより、係止部１４ｂと炊飯器本体１の上枠１ｂの端部１ｃとの係止が外れて、蓋３が開く。ストッパー１３およびフックレバー１４の構成、ならびに詳細な動作については、追って説明する。
【００４１】
本実施の形態において、ストッパー１３を付勢するばね２４の付勢力は、前述のように、フックレバー１４のばね２３の付勢力よりも大きくなるように調整されている。これにより、ストッパー１３は、フックレバー１４に対して回動することなく、フックレバー１４とストッパー１３とは供回りして、フックレバー１４が方向Ａ１に回転し、ロックが外れて、蓋３が開く。
【００４２】
［ロック装置の作用］
次に、本実施の形態のロック装置である、蓋開放装置８の動作について、さらに詳細に
説明する。
【００４３】
図９は、本発明の実施の形態におけるロック装置である蓋開放装置８の動作を示す断面図である。図９（ａ）は、同蓋開放装置８の、蓋３が閉まった状態の構成を示す図である。図９（ｂ）は、同蓋開放装置８の、容器内圧力が所定圧力未満である通常状態において、蓋開放釦７が押された場合の構成を示す図である。図９（ｃ）は、同蓋開放装置８の、容器内圧力が所定圧力以上である状態において、蓋開放釦７が押された場合の構成を示す図である。なお、図９（ａ）〜図９（ｃ）において、上外郭部材３ａは省略している。
【００４４】
まず、図９（ａ）に示されるように、蓋３が閉まった状態では、係止部１４ｂが、炊飯器本体１の上枠１ｂの端部１ｃ（図９には図示せず、図８（ａ）を参照）と係止した状態である。この状態において、ストッパー１３の主面１３ｂと、フックレバー１４の第１面１４ｄとは、互いに平行で、ほぼ同じ高さに位置している。この状態で、使用者が、蓋３を開けるために、蓋開放釦７を押す場合を想定する。
【００４５】
図９（ｂ）に示されるように、容器内の圧力が所定の圧力（例えば、１．０５気圧）未満の場合（通常状態）においては、蓋開放釦７が押されると、押圧部７ａがストッパー１３の主面１３ｂを押す。このとき、ストッパー１３に対してばね２３が付勢する付勢力は、フックレバー１４に対してばね２４が付勢する付勢力よりも大きくなるように調整されているので、ストッパー１３とフックレバー１４とは供回りする。そして、ストッパー１３の主面１３ｂ下側の先端に設けられた先端部１３ｃが、制動部１８の当接部１８ａに当接することにより、フックレバー１４およびストッパー１３の回動は停止する。この状態で、係止部１４ｂと、炊飯器本体１の上枠１ｂの端部１ｃとの係止が外れると、ねじりコイルばねの作用によって、蓋３が開く。
【００４６】
次に、容器内の圧力が所定の圧力（例えば１．０５気圧）以上となった場合（高圧状態）を想定する。例えば、通常炊飯工程は、１．２気圧で行われるので、炊飯工程中は高圧状態となる。このような場合、図８（ａ）を用いて説明すると、鍋２内の圧力が上昇することによって、内蓋４を介して、蓋３が上方に押される。これによって、係止部１４ｂと炊飯器本体１の上枠１ｂの端部１ｃとの係止部分における摩擦力が非常に大きくなる。つまり、容器内の圧力が低い通常状態と比較して、フックレバー１４の回動が、非常にしにくくなる。
【００４７】
ここで、フックレバー１４を付勢するばね２４の付勢力、および、ストッパー１３を付勢するばね２３の付勢力は、いずれも、係止部１４ｂと、炊飯器本体１の上枠１ｂの端部１ｃとの間の高圧状態での摩擦力よりも小さくなるように調整されているものとする。これにより、高圧状態において、蓋開放釦７が押されたとしても、フックレバー１４が動くことはなく、安全性が確保される。
【００４８】
このような高圧状態において、蓋開放釦７が押された場合を想定する。そうすると、図９（ｃ）に示されるように、押圧部７ａがストッパー１３の主面１３ｂに当接して、ストッパー１３を、軸１３ａ中心に回動させるように作用する。このとき、フックレバー１４は、係止部１４ｂと炊飯器本体１の上枠１ｂの端部１ｃとの係止部分における摩擦力が非常に大きくなっているので、動かない。つまり、ストッパー１３が、フックレバー１４に対して回動する。そして、ストッパー１３の先端部１３ｃが、制動部１８の当接部１８ａと当接して、ストッパー１３の回動は停止する。
【００４９】
ここで、ストッパー１３は、軸１３ａを中心として回動し、その先端部１３ｃが当接部１８ａに当接して、図面に向かって右方向および下方向の移動を制限されている。これにより、使用者が、これ以上蓋開放釦７を押したとしても、ストッパー１３は、制動部１８
の当接部１８ａによって動きを制限されているので、動かない。また、フックレバー１４も、ストッパー１３が動かないことから、軸１３ａの部分が動くことができず、また、蓋開放釦７が押されたとしても、その力はフックレバー１４には加わらないので、動かない。よって、この状態で蓋開放釦７が押し続けられ、その間に鍋２内の圧力が下がり、係止部１４ｂと炊飯器本体１の上枠１ｂの端部１ｃとの係止部分における摩擦力が小さくなったとしても、ロックが外れることはなく、蓋３が開くこともなく、安全性を確保することができる。
【００５０】
ここで、係止部１４ｂと炊飯器本体１の上枠１ｂの端部１ｃとの係止部分における摩擦力が小さくなったとしても、ロックが外れることはないのは、前述したように、蓋開放釦７が押された状態だと、ストッパー１３の動きが制限されており、軸１３ａの部分が固定されてしまうので、フックレバー１４が動かないためである。つまり、フックレバー１４の軸１４ｃと、ストッパー１３の軸１３ａとを独立に、しかも、ストッパー１３の軸１３ａをフックレバー１４上に設けたことにより、このような効果を奏することができる。
【００５１】
なお、本実施の形態において、ストッパー１３およびフックレバー１４は、共に金属によって構成されている。しかしながら、本発明はこの例に限定されず、例えば、樹脂等で構成することも可能である。
【００５２】
また、本実施の形態においては、フックレバー１４が第１面１４ｄに穴部１４ｇを有し、穴部１４ｇにストッパー１３が形成された例を示したが、本発明はこの例に限定されない。必ずしも穴部１４ｇは必要ではなく、蓋開放釦７が押されたとき、ストッパー１３とフックレバー１４とが供回りする構成であればよい。
【００５３】
また、フックレバー１４の第２面１４ｅには、一対の延設部１４ｆが設けられている例を示したが、本発明はこの例に限定されない。例えば、延設部１４ｆが単数設けられている構成であってもよいし、三つ以上の延設部１４ｆが設けられている構成であってもよい。
【００５４】
さらに、本実施の形態のロック装置である蓋開放装置８は、図示した構成の炊飯器５０に限定されず、様々な構成の炊飯器、さらに、蓋付き容器に幅広く適用することが可能である。
【００５５】
以上述べたように、本実施の形態のロック装置である蓋開放装置８は、蓋３と炊飯器本体１とを備えた蓋付き容器に用いられるロック装置である。そして、蓋３側に設けられたフック軸１４ｃと、フック軸１４ｃに保持され、所定方向への回動により、蓋３を炊飯器本体１に対してロックするフックレバー１４と、フックレバー１４を摩擦によって保持する、炊飯器本体１に設けられた保持部である端部１ｃとを備えている。そして、フックレバー１４に、フック軸１４ｃと平行に設けられたストッパー軸１３ａと、蓋３が開けられる際に押下される蓋開放釦７と、ストッパー軸１３ａに保持され、蓋開放釦７によって押下されるストッパー１３と、ストッパー１３を、所定方向（Ａ２方向）に付勢するストッパーばね２３と、フックレバー１４を、所定方向（Ａ２方向）に付勢するフックばね２４とを備えている。そして、ストッパーばね２３の付勢力は、フックばね２４の付勢力よりも強くなるように構成されている。容器内の圧力が所定圧力未満の状態でストッパー１３が押下されると、ストッパー１３およびフックレバー１４が、共に所定方向とは逆方向（Ａ１方向）に回動し、保持部によるフックレバー１４のロックが解除される。一方、容器内の圧力が所定圧力以上の状態でストッパー１３が押下されると、ストッパー１３のみが所定方向とは逆方向（Ａ１方向）に回動し、フックレバー１４は回動せずに、保持部によるフックレバー１４のロックが解除しないように構成されている。
【００５６】
このような構成により、容器の内圧が高い状態で解除釦が押された状態で保持され、その状態のままで容器の圧力が低下したような場合でも、ストッパー１３のみが回動し、フックレバー１４が動かない構成を実現して、蓋３の開かないロック装置を提供することができる。
【００５７】
また、容器内の圧力が所定圧力以上の状態でストッパー１３が押下されたとき、ストッパー１３の先端部１３ｃを保持する当接部１８ａを蓋３側に備えていてもよい。そして、蓋開放釦７が押下された状態で、容器内の圧力が所定圧力よりも小さくなった場合にも、ストッパー１３の先端部１３ｃが当接部１８ａに当接してストッパー１３の回動が制限されることにより、フックレバー１４が回動しないように構成されていてもよい。
【００５８】
このように、ストッパー１３が押し下げられた状態で、先端部１３ｃが当接部１８ａに突き当たるように構成することにより、この状態ではフックレバー１４が動かない。よって、容器の内圧が高い状態で蓋開放釦７が操作されて、その状態のままで容器内の圧力が低下したような場合にも、より確実に、蓋３の開かないロック装置を提供することができる。
【００５９】
さらに、本実施の形態の蓋付き容器は、上述したロック装置を備えている。
【００６０】
このような構成により、容器の内圧が高い状態で解除釦が押された状態で保持され、その状態のままで容器の圧力が低下したような場合でも、ストッパー１３のみが回動し、フックレバー１４が動かない構成を実現して、蓋３の開かない蓋付き容器を提供することができる。
【産業上の利用可能性】
【００６１】
以上述べたように、本発明によれば、容器の内圧が高い状態で解除釦が押された状態で保持され、その状態のままで容器の圧力が低下したような場合でも、蓋が開かない、という格別な効果を奏することができる。よって、本発明は、主として圧力炊飯器等の蓋付き容器の蓋に設けられるロック装置、および、それを用いた蓋付き容器等として有用である。
【符号の説明】
【００６２】
１    炊飯器本体
１ａ    鍋収納部
１ｂ    上枠
１ｃ    端部（保持部）
２    鍋
３    蓋
３Ａ    ヒンジ軸
３ａ    上外郭部材
３ｂ    下外郭部材
４    内蓋
７    蓋開放釦
７ａ    押圧部
８    蓋開放装置
１２    支持部材
１２ａ    主面
１３    ストッパー
１３ａ    軸（ストッパー軸）
１３ｂ    主面
１３ｃ    先端部
１４    フックレバー
１４ｂ    係止部
１４ｃ    軸（フック軸）
１４ｄ    第１面
１４ｅ    第２面
１４ｆ    延設部
１４ｇ    穴部
１８    制動部
１８ａ    当接部
２３    ばね
２４    ばね
３３    表示操作部
５０    炊飯器
【図１】
0006273497.tif 000002
【図２】
0006273497.tif 000003
【図３】
0006273497.tif 000004
【図４】
0006273497.tif 000005
【図５】
0006273497.tif 000006
【図６】
0006273497.tif 000007
【図７】
0006273497.tif 000008
【図８】
0006273497.tif 000009
【図９】
0006273497.tif 000010
【図１０】
0006273497.tif 000011